(57)【特許請求の範囲】
【請求項１】
正極と、負極と、前記正極及び前記負極間に配置されたセパレータと、を備え、
前記正極及び前記負極からなる群より選ばれる少なくとも一種が、活物質保持部材と、活物質と、を有する電極であり、
前記活物質保持部材が、前記活物質を保持するチューブと、当該チューブの一端を封止する第１の封止部材と、を有し、
前記チューブが、前記一端から他端に向けて基材が螺旋状に少なくとも一周巻き回されることにより形成されていると共に、前記基材における内周側の部分が外周側の部分に被覆された重なり部を有しており、
前記重なり部が、前記チューブの前記一端における前記基材の巻き端部を含み、
前記巻き端部である内周側の部分と、当該内周側の部分を被覆する外周側の部分とが一連の基材を構成し、
前記チューブにおいて前記一端が前記他端よりも鉛直方向下方側に位置する、鉛蓄電池。
【請求項２】
前記チューブが、前記重なり部を前記一端から前記他端にかけて有している、請求項１に記載の鉛蓄電池。
【請求項３】
前記基材がポリエステルを含む、請求項１又は２に記載の鉛蓄電池。
【請求項４】
前記基材がポリオレフィンを含む、請求項１又は２に記載の鉛蓄電池。
【請求項５】
前記活物質保持部材が、前記チューブの前記他端を封止する第２の封止部材を更に有する、請求項１〜４のいずれか一項に記載の鉛蓄電池。
【請求項６】
前記チューブの前記他端と前記第２の封止部材とが互いに溶着されている、請求項５に記載の鉛蓄電池。
【請求項７】
前記活物質保持部材における活物質保持用のチューブの全てが前記チューブである、請求項１〜６のいずれか一項に記載の鉛蓄電池。
【発明の詳細な説明】
【技術分野】
【０００１】
本発明は、活物質保持部材、電極及び鉛蓄電池に関する。
【背景技術】
【０００２】
鉛蓄電池は、産業用又は民生用の二次電池として広く用いられており、特に、電気車用鉛蓄電池（例えば自動車用鉛蓄電池。いわゆるバッテリー）、又は、ＵＰＳ（Ｕｎｉｎｔｅｒｒｕｐｔｉｂｌｅ  Ｐｏｗｅｒ  Ｓｕｐｐｌｙ）、防災（非常）無線用電源、電話用電源等のバックアップ用鉛蓄電池の需要が多い。【０００３】
鉛蓄電池では、活物質を保持（収容）するためのチューブを有する活物質保持部材が用いられることがある。例えば、鉛蓄電池は、チューブを有する活物質保持部材と、チューブ内に挿入された芯金（集電体）と、チューブ及び芯金の間に充填された電極材（活物質を含有する電極材）とを有する電極を備えている（例えば、下記特許文献１参照）。
【先行技術文献】
【特許文献】
【０００４】
【特許文献１】特開平８−２０３５０６号公報
【発明の概要】
【発明が解決しようとする課題】
【０００５】
活物質を保持するためのチューブを有する活物質保持部材に対しては、電池特性（例えば電池寿命）を向上させる観点から、活物質がチューブから漏出することを抑制することが求められる。【０００６】
本発明の一側面は、活物質の漏出を抑制可能な活物質保持部材、並びに、当該活物質保持部材を用いた電極及び鉛蓄電池を提供することを目的とする。
【課題を解決するための手段】
【０００７】
本発明の一側面の第１実施形態は、活物質保持部材と、活物質と、を有する電極を備え、前記活物質保持部材が、前記活物質を保持するチューブと、当該チューブの一端を封止する封止部材と、を有し、前記チューブが、前記一端から他端に向けて基材が螺旋状に少なくとも一周巻き回されることにより形成されていると共に、前記基材における内周側の部分が外周側の部分に被覆された重なり部を有しており、前記重なり部が、前記チューブの前記一端における前記基材の巻き端部を含み、前記チューブにおいて前記一端が前記他端よりも鉛直方向下方側に位置する、鉛蓄電池を提供する。【０００８】
鉛蓄電池では、充放電の繰り返しにおいて、放電時には水が生成し、充電時には硫酸が生成する。そして、硫酸は水に比べて比重が高く下部に沈降しやすいことから、硫酸（電解液）の濃度が電池の上部と下部とで異なる成層化現象が生じる。これにより、電極の下部の硫酸の濃度が高くなり、電極の下部の反応性が過剰に高くなる。この場合、電極の下部が劣化しやすく、例えば、電極活物質（例えば正極活物質）が微粒子化する場合がある。
活物質を保持（収容）するためのチューブを有する活物質保持部材を用いる場合、チューブの一端がチューブの他端よりも鉛直方向下方側に位置する状態でチューブが配置される傾向がある。この場合、上述の成層化現象が生じると、チューブにおける鉛直方向下方側の端部において電極活物質が微粒子化しやすい。
鉛蓄電池では、基材が螺旋状に巻き回されることにより形成されたチューブを用いる場合がある。本発明者の知見によれば、このようなチューブでは、チューブに負荷される応力に起因して基材が巻き端部を起点にほつれて隙間が生成する場合があり、当該隙間から電極活物質の微粒子が漏出する場合がある。【０００９】
一方、第１実施形態に係る鉛蓄電池では、チューブが、一端から他端に向けて基材が螺旋状に少なくとも一周巻き回されることにより形成されていると共に、基材における内周側の部分が外周側の部分に被覆された重なり部を有しており、重なり部が、チューブの前記一端における基材の巻き端部を含む。これにより、重なり部によって巻き端部がほつれることが抑制されており、電極活物質が漏出し得る隙間が前記一端に生成することが抑制されている。そして、第１実施形態に係る鉛蓄電池では、チューブにおいて前記一端が前記他端よりも鉛直方向下方側に位置することから、電極活物質（例えば正極活物質）が微粒子化しやすい鉛直方向下方側の端部に、電極活物質が漏出し得る隙間の生成が抑制される端部が位置することにより活物質の漏出を抑制できる。【００１０】
本発明の一側面の第２実施形態は、活物質を保持するためのチューブと、封止部材と、を有し、前記チューブが、一端から他端に向けて基材が螺旋状に少なくとも一周巻き回されることにより形成されていると共に、前記基材における内周側の部分が外周側の部分に被覆された重なり部を有しており、前記重なり部が、前記チューブの前記一端における前記基材の巻き端部を含み、前記封止部材が前記チューブの前記他端を封止しており、前記チューブの前記他端と前記封止部材とが互いに溶着されている、活物質保持部材を提供する。【００１１】
上述のとおり、活物質を保持するためのチューブを有する活物質保持部材を用いる場合、チューブの一端がチューブの他端よりも鉛直方向下方側に位置する状態でチューブが配置される傾向があり、鉛蓄電池においてチューブの両端部を封止部材によって封止する場合がある。このようなチューブでは、強固な封止を達成する観点から、封止部材をチューブの端部に溶着することが可能であり、チューブに活物質が収容された状態で溶着作業を行うことの煩雑さを避けることにより溶着作業を容易化する観点等から、チューブに活物質を収容する前に両端部のうちの一方に封止部材が溶着される。そして、チューブに活物質を収容した後に、両端部のうちの他方を封止部材によって封止する。
ここで、上述のとおり、基材が螺旋状に巻き回されることにより形成されたチューブでは、チューブに負荷される応力に起因して基材が巻き端部を起点にほつれて隙間が生成する場合があり、当該隙間から電極活物質の微粒子が漏出する場合がある。この場合、上述の溶着が施された端部では、基材のほつれが抑制されているのに対し、溶着が施された端部とは反対側の端部では、基材がほつれて、電極活物質が漏出し得る隙間が生成する場合がある。【００１２】
一方、第２実施形態に係る活物質保持部材では、チューブが、一端から他端に向けて基材が螺旋状に少なくとも一周巻き回されることにより形成されていると共に、基材における内周側の部分が外周側の部分に被覆された重なり部を有しており、重なり部が、チューブの前記一端における基材の巻き端部を含む。これにより、重なり部によって巻き端部がほつれることが抑制されており、電極活物質が漏出し得る隙間が前記一端に生成することが抑制されている。そして、第２実施形態に係る活物質保持部材では、チューブにおいて前記一端を前記他端よりも鉛直方向下方側に位置させることにより、電極活物質（例えば正極活物質）が微粒子化しやすい鉛直方向下方側の端部に、電極活物質が漏出し得る隙間の生成が抑制される端部が位置することにより活物質の漏出を抑制できる。【００１３】
本発明の他の一側面は、上述の第２実施形態に係る活物質保持部材と、当該活物質保持部材の前記チューブに保持された活物質と、を有する、電極を提供する。【００１４】
本発明の他の一側面は、上述の電極を備え、当該電極の前記活物質保持部材が、前記チューブの前記一端を封止する封止部材を更に有し、前記チューブにおいて前記一端が前記他端よりも鉛直方向下方側に位置する、鉛蓄電池を提供する。
【発明の効果】
【００１５】
本発明の一側面によれば、活物質の漏出を抑制可能な活物質保持部材、並びに、当該活物質保持部材を用いた電極及び鉛蓄電池を提供することができる。
【図面の簡単な説明】
【００１６】
【図１】チューブの一例を示す模式斜視図である。
【図２】本発明の一実施形態に係る鉛蓄電池を示す模式断面図である。
【図３】本発明の一実施形態に係る鉛蓄電池を示す模式断面図である。
【図４】本発明の一実施形態に係る活物質保持部材のチューブを示す模式側面図である。
【発明を実施するための形態】
【００１７】
以下、適宜図面を参照しつつ、本発明を実施するための形態について詳細に説明する。但し、本発明は以下の実施形態に限定されるものではない。
【００１８】
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値と任意に組み合わせることができる。「Ａ又はＢ」とは、Ａ及びＢのどちらか一方を含んでいればよく、両方とも含んでいてもよい。本明細書に例示する材料は、特に断らない限り、１種を単独で又は２種以上を組み合わせて用いることができる。「工程」との語は、独立した工程だけではなく、他の工程と明確に区別できない場合であってもその工程の所期の作用が達成されれば、本用語に含まれる。「チューブの軸方向」は、チューブの中心軸の軸方向（長手方向）を意味する。チューブの一端及び他端は、チューブの軸方向における一端及び他端を意味する。
【００１９】
本実施形態に係る鉛蓄電池は、本実施形態に係る電極を備える。本実施形態に係る鉛蓄電池は、正極及び負極を備え、正極及び負極からなる群より選ばれる少なくとも一種が、本実施形態に係る電極である。本実施形態に係る鉛蓄電池は、正極及び負極間に配置されたセパレータを備えてよく、セパレータを備えていなくてもよい。本実施形態に係る鉛蓄電池は、電解液を備えてよい。電解液は、硫酸を含んでよい。
【００２０】
本実施形態に係る電極（例えば正極）は、本実施形態に係る活物質保持部材と、当該活物質保持部材のチューブに保持された活物質と、を有する。本実施形態に係る活物質保持部材は、活物質を保持するためのチューブと、封止部材と、を有している。チューブは、本実施形態に係る電池及び鉛蓄電池において活物質を保持している。活物質保持部材は、電池の活物質を保持するための部材であり、チューブの内部（内部空間）に活物質を保持（収容）することができる。「活物質」には、化成後の活物質及び化成前の活物質の原料の双方が包含される。本実施形態に係る活物質保持部材は、少なくとも一つのチューブを有していればよく、複数のチューブを有してよい。本実施形態に係る活物質保持部材は、互いに併設された複数のチューブを有する活物質保持用チューブ群であってよい。
【００２１】
チューブは、チューブにおける一端から他端に向けて基材が螺旋状に少なくとも一周巻き回されることにより形成されており、例えば、基材が時計回り又は反時計回りに螺旋状に少なくとも一周巻き回されることにより形成されている。以下の説明において、巻き端部が内周側に位置する端部（例えば、基材の巻き始め側の端部）を「一端」と称し、巻き端部が外周側に位置する端部（例えば、基材の巻き終わり側の端部）を「他端」と称する。「螺旋状」とは、図１に示すように、所定方向に延在する中心軸の周囲を周回しながら当該中心軸の延在方向に進行することを意味する。螺旋状の場合、基材が巻き回されるに伴いチューブが伸長する。螺旋状における巻き回し方向（時計回り及び反時計回り）は、中心軸に対する基材の回転方向を意味する。基材は、少なくとも一周巻き回されていればよく、一周を超えて巻き回されていてよく、複数回巻き回されていてよい。チューブは、チューブにおける一端から他端にかけて基材が螺旋状に少なくとも一周巻き回されることにより形成されてよい。
【００２２】
チューブは、例えば、一端及び他端においてチューブの軸方向に垂直な端面を有している。チューブは、例えば、短冊状の基材を螺旋状に巻き回して形成できる。この場合、チューブを形成した後にチューブの軸方向に垂直にチューブの両端部を切断してよく、端部を切断することなくチューブの軸方向に垂直な端面が得られる形状の基材を用いてもよい。基材を螺旋状に巻き回してチューブを形成することにより、基材同士の接合部が螺旋状に形成されることから、接合部の一部が開裂した場合であっても開裂部が拡張しがたいことから活物質の漏出を抑制しやすい。また、一定の幅の基材の巻き回数等を調整することによりチューブの長さを容易に調整できる。
【００２３】
チューブは、基材における内周側の部分が基材における外周側の部分に被覆された重なり部を有しており、重なり部は、チューブの一端における基材の巻き端部を含む。巻き端部は、例えば、基材における外周側の部分に当接しつつ当該外周側の部分に被覆されている。巻き端部は、例えば、基材における最も一端側に位置する部分であってよい。本実施形態に係る活物質保持部材は、一端から他端に向けて基材が螺旋状に少なくとも一周巻き回されることにより形成されていると共に、基材における内周側の部分が外周側の部分に被覆された重なり部（一端における基材の巻き端部を含む）を有するチューブを少なくとも一つ有していればよく、このようなチューブを複数有してよい。
【００２４】
チューブは、重なり部を少なくとも一つ有しており、重なり部を複数有してもよい。チューブは、チューブが開裂することを抑制しやすい観点から、重なり部を一端から他端にかけて有してよく、重なり部を一端から他端にかけて連続的又は断続的に有してよい。重なり部は、一端から他端に向けて螺旋状に形成されてよい。重なり部等における基材同士の接合手段としては、溶着（例えば超音波溶着）、接着剤等が挙げられる。
【００２５】
本実施形態に係る鉛蓄電池では、チューブにおいて一端が他端よりも鉛直方向下方側に位置している。本実施形態に係る活物質保持部材は、チューブにおいて一端が他端よりも鉛直方向下方側に位置する状態で用いることができる。「鉛直方向下方側」及び後述の「鉛直方向上方側」は、鉛直方向における位置が異なる位置関係を対象としており、鉛直方向に垂直な方向における位置が異なることなく鉛直方向に沿って対向する関係のみならず、鉛直方向に垂直な方向及び鉛直方向の双方における位置が異なる位置関係（斜めの対向配置の関係）をも対象とする。
【００２６】
本実施形態に係る鉛蓄電池では、チューブが、一端から他端に向けて基材が螺旋状に少なくとも一周巻き回されることにより形成されていると共に、基材における内周側の部分が外周側の部分に被覆された重なり部を有しており、重なり部が、チューブの一端における基材の巻き端部を含む。これにより、重なり部によって巻き端部がほつれることが抑制されており、電極活物質が漏出し得る隙間が一端に生成することが抑制されている。そして、本実施形態に係る鉛蓄電池では、チューブにおいて一端が他端よりも鉛直方向下方側に位置することから、電極活物質（例えば正極活物質）が微粒子化しやすい鉛直方向下方側の端部に、電極活物質が漏出し得る隙間の生成が抑制される端部が位置することにより活物質の漏出を抑制できる。
【００２７】
本発明者の知見によれば、電極では、耳部の近接部、及び／又は、耳部に電気的に接続された極柱の近接部において反応性が過剰に高くなり、これらの部位が劣化することにより電極活物質（例えば正極活物質）が微粒子化しやすい傾向がある。これに対し、本実施形態では、電極（例えば正極）における耳部に最も近いチューブ、及び／又は、電極（例えば正極）における極柱に最も近いチューブが、一端から他端に向けて基材が螺旋状に少なくとも一周巻き回されることにより形成されていると共に、基材における内周側の部分が外周側の部分に被覆された重なり部（一端における基材の巻き端部を含む）を有するチューブであってよい。これにより、電極活物質（例えば正極活物質）が微粒子化しやすい耳部又は極柱の近接部に、電極活物質が漏出し得る隙間の生成が抑制されるチューブが位置することにより活物質の漏出を抑制しやすい。
【００２８】
本実施形態に係る活物質保持部材は、一端から他端に向けて基材が螺旋状に少なくとも一周巻き回されることにより形成されていると共に、基材における内周側の部分が外周側の部分に被覆された重なり部（一端における基材の巻き端部を含む）を有するチューブ以外の活物質保持用のチューブを有してもよいが、活物質保持部材における活物質保持用のチューブ（活物質保持部材に含まれる活物質保持用のチューブ）の全てが、一端から他端に向けて基材が螺旋状に少なくとも一周巻き回されることにより形成されていると共に、基材における内周側の部分が外周側の部分に被覆された重なり部（一端における基材の巻き端部を含む）を有するチューブである（すなわち、活物質保持部材が、一端から他端に向けて基材が螺旋状に少なくとも一周巻き回されることにより形成されていると共に、基材における内周側の部分が外周側の部分に被覆された重なり部（一端における基材の巻き端部を含む）を有するチューブ以外の活物質保持用のチューブを有していない）ことが好ましい。これにより、活物質保持部材における活物質保持用のチューブの全てにおいて、電極活物質（例えば正極活物質）が微粒子化しやすい鉛直方向下方側の端部に、電極活物質が漏出し得る隙間の生成が抑制される端部が位置することにより活物質の漏出を更に抑制できる。
【００２９】
本実施形態に係る活物質保持部材は、チューブの一端を封止する第１の封止部材を有してよい。本実施形態に係る鉛蓄電池は、活物質をチューブ内に保持するために第１の封止部材を有している。チューブの一端と第１の封止部材とは、互いに溶着されていなくてよい。第１の封止部材は、チューブの一端に嵌合していてよい。
【００３０】
本実施形態に係る活物質保持部材は、チューブの他端を封止する第２の封止部材を有してよい。本実施形態に係る鉛蓄電池において第２の封止部材は、鉛直方向下方側に位置する一端とは反対側に位置しており、鉛直方向上方側に位置する。チューブの他端と第２の封止部材とは、互いに溶着されていてよく、互いに溶着されていなくてよい。チューブの他端と第２の封止部材とが互いに溶着している場合、強固な封止を達成できると共に、チューブの他端において基材のほつれを抑制できる。第２の封止部材は、チューブの他端に嵌合していてよい。
【００３１】
チューブの他端と第２の封止部材とが互いに溶着されている活物質保持部材では、チューブが、一端から他端に向けて基材が螺旋状に少なくとも一周巻き回されることにより形成されていると共に、基材における内周側の部分が外周側の部分に被覆された重なり部を有しており、重なり部が、チューブの一端における基材の巻き端部を含む。これにより、重なり部によって巻き端部がほつれることが抑制されており、電極活物質が漏出し得る隙間が一端に生成することが抑制されている。そして、このような活物質保持部材では、チューブにおいて一端を他端よりも鉛直方向下方側に位置させることにより、電極活物質（例えば正極活物質）が微粒子化しやすい鉛直方向下方側の端部に、電極活物質が漏出し得る隙間の生成が抑制される端部が位置することにより活物質の漏出を抑制できる。
【００３２】
本実施形態に係る鉛蓄電池において活物質保持部材における一端は、他端よりも鉛直方向下方側に位置することから、活物質をチューブ内に保持するために第１の封止部材によって封止されている。本実施形態に係る鉛蓄電池において活物質保持部材における他端は、第２の封止部材によって封止されてよく、第２の封止部材によって封止されていなくてもよい。本実施形態に係る活物質保持部材における一端は、鉛蓄電池に組み込まれる前（例えば活物質をチューブに収容する前）において第１の封止部材によって封止されていなくてよい。
【００３３】
チューブにおけるチューブの軸方向に垂直な断面は、真円状、楕円状等であってよい。チューブの中心軸としては、チューブの断面における重心を用いてよい。
【００３４】
基材は、不織布、織布等を含んでよく、例えば不織布を含む。基材は、樹脂材料を含有することができる。樹脂材料としては、ポリエステル（例えば、ポリエチレンテレフタレート等のポリアルキレンテレフタレート）、ポリオレフィン（ポリエチレン、ポリプロピレン等）、ポリスチレン、ポリ塩化ビニル、ポリ塩化ビニリデン、ポリフッ化ビニリデン、ポリカーボネートなどが挙げられる。
【００３５】
基材は、ポリエステルを含むことが可能であり、ポリエステルを含有する不織布を含むことができる。基材は、少なくともチューブの一端においてポリエステルを含むことができる。例えば、基材は、ポリエステルを主成分として含有する基材（不織布等）であってよい。本発明者の知見によれば、基材がポリエステルを含む場合において電極の下部の反応性が過剰に高くなると、ポリエステルの加水分解によって基材が劣化して、基材が巻き端部を起点にほつれて隙間が生成しやすいことがある。一方、本実施形態では、電極活物質（例えば正極活物質）が微粒子化しやすい鉛直方向下方側の端部に、電極活物質が漏出し得る隙間の生成が抑制される端部が位置することにより、基材がポリエステルを含む場合であっても活物質の漏出を抑制しやすい。
【００３６】
基材は、ポリオレフィンを含むことが可能であり、ポリオレフィンを含有する不織布を含むことができる。基材は、少なくともチューブの一端においてポリオレフィンを含むことができる。例えば、基材は、ポリオレフィンを主成分として含有する基材（不織布等）であってよい。本発明者の知見によれば、電極の下部の反応性が過剰に高くなっても、ポリオレフィンを含む基材は劣化しがたい。そのため、基材がポリオレフィンを含む場合、電極の下部の反応性が過剰に高くなっても、電極活物質（例えば正極活物質）が微粒子化しやすい鉛直方向下方側の端部において、電極活物質が漏出し得る隙間が生成することが抑制されやすいことから活物質の漏出を抑制しやすい。
【００３７】
基材が繊維を含む場合、繊維は配向していてよい。例えば、不織布は、不織布の製造におけるＭＤ方向（機械方向）と、ＭＤ方向と直交するＣＤ方向（幅方向）と、を有してよい。繊維がＭＤ方向に配向しやすいことから、ＭＤ方向はＣＤ方向よりも機械強度が高い傾向がある。そのため、ＣＤ方向における機械強度が高い樹脂シートは、機械強度が相対的に低い方向（ＣＤ方向）においても機械強度が高いシートである。基材が不織布を含む場合、繊維配向に起因する機械強度の影響を抑制しやすいため活物質の漏出が抑制されやすい観点から、活物質保持部材における少なくとも一つのチューブにおいて、チューブの軸方向に対して不織布のＭＤ方向及びＣＤ方向が傾斜していることが好ましい。チューブの軸方向に対するＭＤ方向又はＣＤ方向の傾斜角度は、繊維配向に起因する機械強度の影響を抑制しやすいため活物質の漏出が抑制されやすい観点から、下記の範囲が好ましい。傾斜角度は、０°を超えることが好ましく、１０°以上がより好ましく、２０°以上が更に好ましく、３０°以上が特に好ましく、４０°以上が極めて好ましく、４３°以上が非常に好ましい。傾斜角度は、９０°未満が好ましく、８０°以下がより好ましく、７０°以下が更に好ましく、６０°以下が特に好ましく、５０°以下が極めて好ましく、４７°以下が非常に好ましい。これらの観点から、傾斜角度は、０°を超え９０°未満が好ましく、１０〜８０°がより好ましく、４３〜４７°が更に好ましい。傾斜角度が４５°である場合には、繊維配向に起因する機械強度の影響を最も抑制しやすいと推測される。
【００３８】
基材は、細孔を有する多孔質体であってよい。基材は、下記範囲の平均細孔径を有する部分を備えることが好ましい。基材の平均細孔径は、電極材の流出を抑制しやすい観点から、６０μｍ以下が好ましく、５０μｍ以下がより好ましく、４５μｍ以下が更に好ましく、４０μｍ以下が特に好ましい。基材の平均細孔径は、電気抵抗が減少しやすい観点から、２μｍを超えることが好ましく、５μｍ以上がより好ましく、１０μｍ以上が更に好ましく、２０μｍ以上が特に好ましく、３０μｍ以上が極めて好ましく、３５μｍ以上が非常に好ましい。これらの観点から、基材の平均細孔径は、２μｍを超え６０μｍ以下が好ましい。平均細孔径は、細孔分布測定装置（例えば、株式会社島津製作所製、ＡＵＴＯ  ＰＯＲＥ  ＩＶ  ９５２０）により測定できる。
【００３９】
活物質保持部材における少なくとも一つのチューブは、下記範囲の厚さ（肉厚。チューブを構成する壁部の厚さ。以下も同様）を有する部分を備えてよい。チューブの厚さは、下記の範囲であってよい。チューブの厚さは、０．０５ｍｍ以上、０．１ｍｍ以上、又は、０．２ｍｍ以上であってよい。チューブの厚さは、１ｍｍ以下、０．８ｍｍ以下、０．６ｍｍ以下、又は、０．４ｍｍ以下であってよい。これらの観点から、チューブの厚さは、０．０５〜１ｍｍであってよい。
【００４０】
活物質保持部材における少なくとも一つのチューブの長さは、下記の範囲であってよい。チューブの長さは、５０ｍｍ以上、１００ｍｍ以上、１２０ｍｍ以上、１６０ｍｍ以上、又は、２００ｍｍ以上であってよい。チューブの長さは、８００ｍｍ以下、７５０ｍｍ以下、７００ｍｍ以下、６５０ｍｍ以下、６００ｍｍ以下、又は、５８０ｍｍ以下であってよい。これらの観点から、チューブの長さは、５０〜８００ｍｍであってよい。
【００４１】
図２〜図４を用いて、本実施形態に係る鉛蓄電池の一例を説明する。図２及び図３は、鉛蓄電池の一例を示す模式断面図である。図２では、図面の手前側から奥側にかけて、セパレータを介して正極及び負極が交互に配置されている。図２（ｂ）は、図２（ａ）の領域Ｐを示す拡大図である。図２（ａ）では、チューブ内の詳細、及び、チューブ同士が隣接する部分の詳細の図示を省略している。図２及び図３に示される鉛蓄電池は、鉛直方向に伸びる電槽を備えており、図３は、鉛直方向の上方（電槽の高さ方向の上方）から鉛蓄電池を見た際の正極、負極及びセパレータの積層構造を示している。図４は、本実施形態に係る活物質保持部材のチューブを示す模式側面図である。
【００４２】
図２及び図３に示される鉛蓄電池１００は、複数の正極１１０と、複数の負極１２０と、複数のセパレータ１３０と、電槽１４０と、連結部材１５０ａ，１５０ｂと、極柱１６０ａ，１６０ｂと、液口栓１７０と、支持部材１８０と、を備えている。電槽１４０は、正極１１０、負極１２０及びセパレータ１３０から構成される電極群を収容している。連結部材１５０ａ，１５０ｂは、電極群に接続されている。極柱１６０ａ，１６０ｂは、連結部材１５０ａ，１５０ｂに接続されている。液口栓１７０は、電槽１４０の注液口を閉塞している。支持部材１８０は、電槽１４０に接続されている。
【００４３】
正極１１０及び負極１２０は、セパレータ１３０を介して交互に配置されている。セパレータ１３０間における正極１１０の周囲の空間には、電解液１９０が充填されている。電解液１９０は、硫酸を含んでよい。電解液１９０は、アルミニウムイオン、ナトリウムイオン等を含んでいてよい。
【００４４】
正極１１０は、例えば、板状の電極（正極板）であり、活物質保持部材１１０ａと、活物質を含む正極材１１０ｂと、を有している。活物質保持部材１１０ａは、活物質を保持する複数のチューブ１１１と、芯金（集電体）１１２と、下部連座（第１の封止部材）１１３と、上部連座（第２の封止部材）１１４と、耳部１１５と、を有している。
【００４５】
チューブ１１１は、活物質を含む正極材１１０ｂを収容可能な筒状部からなる。各チューブ１１１は、電槽１４０の高さ方向（鉛直方向）に伸びている。チューブ１１１は、図４に示すように、チューブ１１１の一端１１１ａから他端１１１ｂに向けて基材１１６が螺旋状に少なくとも一周巻き回されることにより形成されていると共に、基材１１６における内周側の部分が外周側の部分に被覆された重なり部１１７を一端１１１ａから他端１１１ｂにかけて有している。重なり部１１７は、チューブ１１１の一端１１１ａにおける基材１１６の巻き端部１１８を含んでおり、例えば、一端１１１ａから他端１１１ｂにかけて螺旋状に形成されている。チューブ１１１の一端１１１ａは、他端１１１ｂよりも鉛直方向下方側に位置しており、図２に示す鉛蓄電池１００において下部連座１１３により封止されている。チューブ１１１の他端１１１ｂは、鉛蓄電池１００において上部連座１１４により封止されている。
【００４６】
芯金１１２は、チューブ１１１の中心部においてチューブ１１１の軸方向に伸びている。芯金１１２の構成材料としては、導電性材料であればよく、例えば、鉛−カルシウム−錫系合金、鉛−アンチモン−ヒ素系合金等の鉛合金が挙げられる。芯金１１２の軸方向（長手方向）に垂直な断面形状は、円形、楕円形等であってよい。芯金１１２の長さは、例えば１６０〜６５０ｍｍである。芯金１１２の直径は、例えば２．０〜４．０ｍｍである。
【００４７】
正極材１１０ｂは、チューブ１１１及び芯金１１２の間に充填されている。正極材１１０ｂは、化成後において正極活物質を含有している。化成後の正極材は、例えば、正極活物質の原料を含む未化成の正極材を化成することで得ることができる。正極活物質の原料としては、鉛粉、鉛丹等が挙げられる。化成後の正極材における正極活物質としては、二酸化鉛等が挙げられる。正極材１１０ｂは、必要に応じて添加剤を更に含有することができる。正極材１１０ｂの添加剤としては、補強用短繊維等が挙げられる。補強用短繊維としては、アクリル繊維、ポリエチレン繊維、ポリプロピレン繊維、ポリエチレンテレフタレート繊維（ＰＥＴ繊維）等が挙げられる。
【００４８】
下部連座１１３は、チューブ１１１、芯金１１２及び正極材１１０ｂに接しており、チューブ１１１、芯金１１２及び正極材１１０ｂを保持している。下部連座１１３は、チューブ１１１における電槽１４０の下部側の端部に嵌合している。下部連座１１３は、チューブ１１１の軸方向に直交する方向に伸びる基部と、当該基部に接続されると共にチューブ１１１の端部に嵌合する複数の嵌合部とを有している。嵌合部には、芯金１１２の端部が差し込まれる凹部が形成されている。上部連座１１４は、チューブ１１１における電槽１４０の上部側の端部に溶着している。
【００４９】
耳部１１５の一端（図中、下側の端部）は上部連座１１４に接続され、耳部１１５の他端（図中、上側の端部）は連結部材１５０ａに接続されている。チューブ１１１内に収容された芯金１１２は、上部連座１１４、耳部１１５及び連結部材１５０ａを介して極柱１６０ａに電気的に接続されている。
【００５０】
支持部材１８０はチューブ１１１の軸方向（長手方向。例えば電槽１４０の高さ方向）に伸びる複数の突起部１８０ａを有しており、下部連座１１３は複数の突起部１８０ａに当接して固定されている。すなわち、支持部材１８０は、下部連座１１３における電槽１４０の底面側の部分を各突起部１８０ａによって支持している。
【００５１】
負極１２０は、例えば板状であり、例えばペースト式負極板である。負極１２０は、負極集電体と、当該負極集電体に保持された負極材と、を有する。負極集電体としては、板状の集電体を用いることができる。負極集電体、及び、正極１１０の芯金１１２の組成は、互いに同一であってよく、互いに異なっていてよい。負極１２０は、連結部材１５０ｂを介して極柱１６０ｂに電気的に接続されている。
【００５２】
負極材は、化成後において負極活物質を含有している。化成後の負極材は、例えば、負極活物質の原料を含む未化成の負極材を化成することで得ることができる。負極活物質の原料としては、鉛粉等が挙げられる。化成後の負極材における負極活物質としては、多孔質の海綿状鉛（Ｓｐｏｎｇｙ  Ｌｅａｄ）等が挙げられる。負極材は、必要に応じて添加剤を更に含有することができる。負極材の添加剤としては、硫酸バリウム、補強用短繊維、炭素材料（炭素質導電材）等が挙げられる。補強用短繊維としては、正極材と同様の補強用短繊維を用いることができる。炭素材料としては、カーボンブラック、黒鉛等が挙げられる。カーボンブラックとしては、ファーネスブラック（ケッチェンブラック（登録商標）等）、チャンネルブラック、アセチレンブラック、サーマルブラックなどが挙げられる。
【００５３】
セパレータ１３０の材料としては、正極１１０と負極１２０との電気的な接続を阻止し、電解液を透過させる材料であれば特に限定されない。セパレータ１３０の材料としては、微多孔性ポリエチレン；ガラス繊維及び合成樹脂の混合物等が挙げられる。
【００５４】
本実施形態に係る鉛蓄電池の製造方法は、活物質保持部材を有する電極を含む構成部材を組み立てて鉛蓄電池を得る組み立て工程を備える。組み立て工程では、例えば、未化成の正極及び未化成の負極を積層すると共に、同極性の電極の集電部をストラップで溶接させて電極群を得る。この電極群を電槽内に配置して未化成の電池を作製する。未化成の正極及び未化成の負極は、セパレータを介して積層してよい。
【００５５】
本実施形態に係る鉛蓄電池の製造方法は、組み立て工程の前に、正極作製工程及び負極作製工程を備えてよい。正極作製工程及び／又は負極作製工程では、本実施形態に係る電極の製造方法により、活物質保持部材と活物質とを有する電極を得ることができる。本実施形態に係る電極の製造方法は、活物質保持部材のチューブにおける一方の端部を封止部材により封止する第１の封止工程と、第１の封止工程の後に、チューブに活物質を収容（例えば充填）する活物質収容工程と、を有してよい。本実施形態に係る電極の製造方法は、活物質収容工程の後に、活物質保持部材のチューブにおける他方の端部を封止部材により封止する第２の封止工程を有してよい。
【００５６】
正極が活物質保持部材を有する場合、正極作製工程では、活物質保持部材のチューブ内に挿入された芯金と、チューブ及び芯金の間に充填された正極材と、を有する正極を得る。正極作製工程では、例えば、チューブにおける一方の端部を上述の上部連座により封止し（第１の封止工程）、チューブ内に芯金を配置した後、芯金及びチューブの間に正極活物質の原料等を充填し（活物質収容工程）、さらに、チューブにおける他方の端部を上述の下部連座で塞ぐことにより（第２の封止工程）、未化成の正極材を有する正極を得ることができる。正極作製工程では、チューブにおける一方の端部を上部連座で封止することなく、チューブにおける他方の端部を下部連座で封止した後に正極活物質の原料等を充填してもよい。
【００５７】
負極作製工程では、例えば、負極活物質の原料等を含む負極材ペーストを負極集電体（例えば集電体格子（鋳造格子体、エキスパンド格子体等））に充填した後に熟成及び乾燥を行うことにより、未化成の負極材を有する負極を得ることができる。
【００５８】
本実施形態に係る電極の製造方法は、第１の封止工程の前に、活物質保持部材を作製する活物質保持部材作製工程を有してよい。活物質保持部材作製工程は、基材を螺旋状に少なくとも一周巻き回すことによりチューブを形成するチューブ形成工程を有する。活物質保持部材作製工程では、チューブの軸方向に直交する方向に複数のチューブを併設してもよい。
【００５９】
本実施形態に係る鉛蓄電池の製造方法は、正極及び負極の化成処理を行う化成処理工程を備えてよい。化成処理工程は、組み立て工程の後に実施されてよく、組み立て工程前の電極作製工程において実施されてもよい（タンク化成）。化成処理工程では、例えば、正極及び負極が電解液に接触した状態で直流電流を通電することにより化成処理を行う。化成後の電解液の比重を適切な比重に調整することにより鉛蓄電池を得ることができる。
【００６０】
本実施形態に係る電気車又は電源装置は、本実施形態に係る鉛蓄電池を備える。本実施形態に係る電気車又は電源装置の製造方法は、本実施形態に係る鉛蓄電池の製造方法により鉛蓄電池を得る工程を備える。本実施形態に係る電気車又は電源装置の製造方法は、例えば、本実施形態に係る鉛蓄電池の製造方法により鉛蓄電池を得る工程と、前記鉛蓄電池を含む構成部材を組み立てて電気車又は電源装置を得る工程とを備えている。電気車としては、フォークリフト、ゴルフカート等が挙げられる。電源装置としては、ＵＰＳ、防災（非常）無線用電源、電話用電源等が挙げられる。本実施形態によれば、電気車用の鉛蓄電池が提供され、例えば、フォークリフト用の鉛蓄電池が提供される。本実施形態によれば、電源装置用の鉛蓄電池が提供される。
【符号の説明】
【００６１】
１００…鉛蓄電池、１１０…正極（電極）、１１０ａ…活物質保持部材、１１１…チューブ、１１１ａ…一端、１１１ｂ…他端、１１３…下部連座（第１の封止部材）、１１４…上部連座（第２の封止部材）、１１６…基材、１１７…重なり部、１１８…巻き端部。
【要約】
活物質保持部材と、活物質と、を有する電極を備え、活物質保持部材が、活物質を保持するチューブ１１１と、チューブ１１１の一端１１１ａを封止する封止部材と、を有し、チューブ１１１が、一端１１１ａから他端１１１ｂに向けて基材１１６が螺旋状に少なくとも一周巻き回されることにより形成されていると共に、基材１１６における内周側の部分が外周側の部分に被覆された重なり部１１７を有しており、重なり部１１７が、チューブ１１１の一端１１１ａにおける基材１１６の巻き端部１１８を含み、チューブ１１１において一端１１１ａが他端１１１ｂよりも鉛直方向下方側に位置する、鉛蓄電池。【図１】
0006940025.tif 000002
【図２】
0006940025.tif 000003
【図３】
0006940025.tif 000004
【図４】
0006940025.tif 000005